(57)【要約】      （修正有）【課題】架装装置の形状によって尿素水の補給ノズルが尿素水タンクの補給口に直接届かない場合でも、尿素水タンクへ尿素の補給を容易に行うことができ、特に、既に車両に設置されている尿素水タンクに対して好適に適用することができる尿素水タンクのキャップ構造を提供する。【解決手段】尿素水タンク３の補給口３１に係脱するキャップ８と、補給口３１に挿通され弾性変形可能な素材で形成されたホース５と、ホース５の一端にタンク内方向へ通り抜けを防止する第１フランジ部５２と、ホース５の他端に、補給口３１を通過するときは縮径変形可能で且つ、通過後の自由状態時には拡径して給油口３１に係合する第２フランジ部と、キャップ８に設けられ、該キャップ８と第１フランジ部５２との係脱を行う操作部を有した係脱装置とを備えたことを特徴とする。【選択図】図２
2013233981.tif 000002
【特許請求の範囲】
【請求項１】
尿素水タンクのキャップ構造において、
前記タンクの補給口に係脱可能なキャップと、
前記補給口に挿通可能に構成されるとともに、弾性変形可能な素材で形成されたホースと、
前記ホースの一端に設けられ、該一端が前記タンクの内方向へ通り抜けるのを防止する第１フランジ部と、
前記ホースの他端に設けられ、該他端から前記ホースを前記補給口に挿通する際に、該他端が前記補給口を通過するときは縮径変形可能で且つ、該他端が前記補給口を通過した後の自由状態時には拡径変形可能に構成され、前記他端が前記タンクの外方へ通り抜けるのを防止する第２フランジ部と、
前記キャップに設けられ、前記キャップと前記第１フランジ部との係脱を行う操作部を有した係脱装置と、
を備えたことを特徴とする尿素水タンクのキャップ構造。
【請求項２】
前記第２フランジ部は、前記ホースの軸線方向に沿って切込みを設け、該切込みの端縁を周方向に重合変形させて縮径させることを特徴とする請求項１記載の尿素水タンクのキャップ構造。
【請求項３】
前記係脱装置は、前記操作部と、該操作部に係動して前記第１フランジ部と係脱する係合片を備え、
前記操作部の操作に伴い前記第１フランジ部と前記係合片との係合を解除するようにしたことを特徴とする請求項１記載の尿素水タンクのキャップ構造。
【請求項４】
前記係脱装置は、前記第１フランジ部に前記キャップを前記軸線方向に押圧した際に、前記係合片が前記第１フランジ部の径方向に拡開すると共に、前記第１フランジ部を通過すると弾性部材の付勢力により前記第１フランジ部と前記係合片とが係合するようにしたことを特徴とする請求項３記載の尿素水タンクのキャップ構造。
【請求項５】
前記第２フランジ部の前記切込みの外周には、前記軸線方向長さと同等又は、長い弾性変形可能な素材にて管状に形成されたストッパ部材が前記軸線方向に摺動可能に外嵌されていることを特徴とする請求項２記載の尿素水タンクのキャップ構造。
【発明の詳細な説明】
【技術分野】
【０００１】
本発明は、自動車等から排出される排ガスを浄化する浄化装置の還元剤として用いられる尿素水を貯溜する尿素水タンクの補給口のキャップ構造に関する。
【背景技術】
【０００２】
近年、特にトラック等の内燃機関（ディーゼルエンジン）から排出される排ガスに含まれるＮＯｘを浄化する排ガス浄化装置の還元剤として、尿素水が使用されるようになってきた。かかる尿素水は、尿素水を貯留する尿素水タンクに貯溜された状態で車両に搭載される。
排ガス中に含まれるＮＯｘを浄化する技術としては、ＮＯｘ吸蔵触媒、ＨＣ（燃料）を還元剤として使用する手段が実施されてきたが、最近では既述のように、尿素水を使用することが主な手段となってきている。
【０００３】
このような状況下において、車両のスペース設計の段階では、従前より車両に搭載されている燃料タンクや、ブレーキ及び、サスペンション等に使用されるエアタンク等の配置が優先され、尿素水タンクの配置はこれらの後に決定される場合が殆どである。
このため、例えば、トラック等の車両おいては、車台に運転席が搭載された所謂キャブ付シャシの状態で車両メーカから架装装置のメーカに出荷される。
架装装置のメーカは、車台に架装装置を搭載するが、架装装置の性能上、該架装装置の形状を変更できず、尿素水タンクへの尿素水の補給容易性を犠牲にする場合がある。
【０００４】
特に小型トラックのようにホイルベースの短い車両において、このような事例が多くみられる。
例えば、図８に示すトラック０１等の場合であって、フレーム０２１の上に架装される架装装置０２が図８のような形状の場合、即ち、尿素水タンク０３の補給口０３１の上方に架装装置０２が張り出している場合などには、補給ノズル０３２が架装装置０２の外側コーナ部Ｚに当接して、補給ノズル０３２を尿素水タンク０３の補給口０３１に直接挿入することができない事態が生じている。
【先行技術文献】
【特許文献】
【０００５】
【特許文献１】実開平０３−１０８６３４号公報
【特許文献２】実開平０４−１００９２１号公報
【発明の概要】
【発明が解決しようとする課題】
【０００６】
車両に搭載される水タンクや燃料タンクに関する先行技術として、特許文献１，２があるが、これら特許文献１及び２は、既に車両に設置されているタンクに対して適用できるものではない。
更に、特許文献１は、車両メーカから架装メーカに運ばれたキャブ付シャシの状態の車台に架装装置を架装した場合、蛇腹状の可撓管を使用しなくても給水ができる場合には、可撓管は不要になり、無駄なコスト高をまねく不具合が生じる。
【０００７】
また、特許文献２は、架装装置の形状によって、燃料タンクの形状を変更しなければならず、燃料タンクの種類が多くなり、コスト高になる不具合が考えられる。
【０００８】
本発明は、上述した従来技術の課題に鑑みなされた発明であって、架装装置の形状によって尿素水の補給ノズルが尿素水タンクの補給口に直接届かない場合でも、尿素水タンクへ尿素の補給を容易に行うことができ、特に、既に車両に設置されている尿素水タンクに対して好適に適用することができる尿素水タンクのキャップ構造を提供することを目的としている。
【課題を解決するための手段】
【０００９】
上記目的を達成するため本発明によれば、尿素水タンクのキャップ構造において、
前記尿素水タンクの補給口に係脱可能なキャップと、
前記補給口に挿通可能に構成されるとともに、弾性変形可能な素材で形成されたホースと、
前記ホースの一端に設けられ、該一端が前記尿素水タンクの内方向へ通り抜けるのを防止する第１フランジ部と、
前記ホースの他端に設けられ、該他端から前記ホースを前記補給口に挿通する際に、該他端が前記補給口を通過するときは縮径変形可能で且つ、該他端が前記補給口を通過した後の自由状態時には拡径変形可能に構成され、前記他端が前記尿素水タンクの外方へ通り抜けるのを防止する第２フランジ部と、
前記キャップに設けられ、前記キャップと前記第１フランジ部との係脱を行う操作部を有した係脱装置とを備えたことを特徴とする。
【００１０】
本発明によれば、トラック等の架装装置の下側に装着された燃料又は尿素水をタンクに補給する際に、架装装置の形状によっては、補給ガンが尿素水タンクの補給口に届かない場合があり、その場合、ホースの他端を縮径して補給口に挿通させタンク内で拡開し、該他端がタンクの外方へ通り抜けるのを防止するようにしたので、キャップに係合したホースを引出し、該ホースからキャップを外して、補給ガンによる補給が可能になると共に、ホースの縮径とキャップにホースの係脱装置が設けてあるので、既に車両に設置されている尿素水タンクに対して好適に適用することができる。
更に、ホース付きのキャップに交換するだけで、尿素水の補給が可能となり、尿素水タンクを交換しないですむため、コスト低減が可能となる。
【００１１】
また、本願発明において好ましくは、前記第２フランジ部は、前記ホースの軸線方向に沿って切込みを設け、該切込みの端縁を周方向に重合変形させて縮径させるとよい。
【００１２】
このような構成にすることにより、ホースは、弾性変形可能な素材で形成されているので、第２フランジ部を径方向に縮径して補給口からタンク内に挿入して、第２フランジ部がタンク内で拡径（自由状態時）することにより、第２フランジ部が補給口に係合して第２フランジ部が尿素水タンク外方に通り貫けることが防止できると共に、補給作業の容易化が図れる。  
【００１３】
また、本願発明において好ましくは、前記係脱装置は、前記操作部と、該操作部に係動して前記第１フランジ部と係脱する係合片を備え、
前記操作部の操作に伴い前記第１フランジ部と前記係合片との係合を解除するようにするとよい。
【００１４】
このような構成にすることにより、係合片は操作部を操作しないと、第１フランジ部と係合片との係合が解除されないので、補給口からキャップを外し、ホースも一緒に引出すことができ、補給作業が容易になる。
【００１５】
また、本願発明において好ましくは、前記係脱装置は、前記第１フランジ部に前記キャップを前記軸線方向に押圧した際に、前記係合片が前記第１フランジ部の径方向に拡開すると共に、前記第１フランジ部を通過すると弾性部材の付勢力により前記第１フランジ部と前記係合片とが係合するようにするとよい。
【００１６】
このような構成にすることにより、第１フランジ部にキャップをホースの軸線方向に押圧するだけで、係合片が第１フランジ部の径方向に拡開する構造なので、補給作業の終了後、キャップを第１フランジ部に押圧するだけで、ホースとキャップとの結合ができ、操作が容易化できると共に、誤操作が生じ難くなる効果が得られる。
【００１７】
また、本願発明において好ましくは、前記第２フランジ部の前記切込みの外周には、前記軸線方向長さと同等又は、長い弾性変形可能な素材にて管状に形成されたストッパ部材が前記軸線方向に摺動可能に外嵌されているとよい。
【００１８】
このような構成にすることにより、給油口に第２フランジを挿入する際に、縮径するために切込みを設けてあるが、ストッパ部材を第２フランジ近傍に設けることにより、ホースをタンク内から引出した際に、切込み部が補給口から外部に露出しないようにして、補給液が外部に漏れ出さないようにすることができる。
【発明の効果】
【００１９】
架装装置の形状によって尿素水の補給ノズルが尿素水タンクの補給口に直接届かない場合でも、尿素水タンクへ尿素の補給を容易に行うことができ、特に、既に車両に設置されている尿素水タンクに対して好適に適用することができる効果を有する。
【図面の簡単な説明】
【００２０】
【図１】（Ａ）は本発明が実施される尿素水タンクの取付状況説明図、（Ｂ）は尿素水補給時にホースを保持する保持具の斜視図を示す。
【図２】（Ａ）は本発明が実施されたホースの第１実施形態詳細図、（Ｂ）は第２フランジ部の平面図を示す。
【図３】（Ａ）は本発明が実施されたホースの第２実施形態詳細図、（Ｂ）は第２フランジ部の平面図、（Ｃ）は第２フランジの変形例を示す。
【図４】（Ａ）は本発明が実施されたホースの第３実施形態詳細図、（Ｂ）は第２フランジ部の平面図、（Ｃ）は管状のストッパ部材の斜視図を示す。
【図５】本発明が実施されたキャップの第４実施形態詳細図を示す。
【図６】（Ａ）は本発明が実施されたキャップの第５実施形態詳細図、（Ｂ）は係合片の詳細形状図を示す。
【図７】（Ａ）はキャップと第１フランジとの係合状態説明図、（Ｂ）はキャップと第１フランジとの係合が解除された状態説明図、（Ｃ）は係合片が第１フランジ部を通過する状態図を示す。
【図８】従来技術による尿素水タンクの取付状況説明図を示す。
【発明を実施するための形態】
【００２１】
（第１実施形態）
以下、本発明の実施形態を図に基づいて詳細に説明する。但し、この実施形態に記載されている構成部品の寸法、材質、形状、その相対配置などは特に特定的な記載がない限り、この発明の範囲をそれのみに限定する趣旨ではなく、単なる説明例にすぎない。
【００２２】
図１（Ａ）は本発明が実施される尿素水タンクの取付状況説明図、（Ｂ）は尿素水補給時にホースを保持するホース保持具の斜視図を示す。
トラック１の場合、フレーム２１の上に架装される架装装置２が、尿素水タンク３の補給口３１の上方に張り出している場合、補給ノズル３２が架装装置２の外側コーナ部Ｚに当接するのを防止するため、尿素水タンク３内に内蔵されている蛇腹状に形成されたホース５を引出し、架装装置２のコーナ部Ｚに設けたホース保持具２３にホース５の第１フランジ５２側を保持させる。
ホース保持具２３に保持された第１フランジ５２に補給ノズル３２の先端部を挿入して、尿素水タンク３に尿素水の補給を開始する。
【００２３】
ホース保持具２３は図１（Ｂ）に示すように、架装装置２の下面に取付けられる平板状のベース板２３ａと、一端部がベース板２３ａに固着され、他端部が架装装置２に対し下方（重力方向）へ屈曲し、環状に巻回した保持部２３ｂとで形成されている。
そして、ベース板２３ａと保持部２３ｂの端縁２３ｅとの間にはホース５が通過する切欠き部ｍが形成されている。
切欠き部ｍは蛇腹の谷径又は、第１フランジ部５２の基部径が通過できる程度の幅となっている。
尚、保持部２３ｂは断面形状が円形の丸棒又はパイプによって形成されており、角部を無くすことにより、ホース５を係脱する際に、ホース５を傷つけないようにしてある。
ホース５の第１フランジ５２側が保持部２３ｂの中空部に保持される。従って、ホース５の保持を確実にするため、保持部２３ｂの環状の円周部を可能な限り残すために、切欠き部ｍを確保するためベース板２３ａのコーナ部２３ｄをＲ状（半円形状）に削除してある。
【００２４】
図２（Ａ）は本発明が実施されたホースの第１実施形態詳細図を示し、（Ｂ）は第２フランジ部の平面図を示す。
本発明は、尿素水タンク３の補給口３１に係合するキャップ８と、該キャップ８に係脱可能に保持されるホース５とで構成される。
ホース５は弾性変形可能な素材で形成されており、キャップ８に係脱する一端である第１フランジ部５２と、尿素水タンク３内に係合して、ホース５が尿素水タンク３の外方へ抜け出さないように、尿素水タンク３内の補給口３１に係合する他端である第２フランジ部５３と、第１フランジ部５２と第２フランジ部５３とが両端に有する蛇腹状の本体部５１とで構成されている。
尚、弾性変形可能な素材とは、ＰＰ（ポリプロピレン）、ＰＥ（ポリエチレン）
ゴム系素材等がある。
【００２５】
第２フランジ部５３は、図２（Ｂ）にフランジ部の平面図を示すように、外周部に等間隔で４箇所突起５３ａが設けられている。
ホース５の本体部５１の外径（蛇腹の山部）Ｄ１は補給口３１の内径Ｄ４より小さく、本体部５１の山部Ｄ１が容易に補給口３１内を移動（出し入れ）できる余裕隙間を有して形成されている。
第２フランジ５３の外径Ｄ３（突起先端）は補給口３１の内径Ｄ４より大きく形成されている。
補給口３１から尿素水タンク３内への第２フランジ部５３の挿入は突起５３ａを本体部５１側へ折返すように弾性変形させながら挿入する。
第２フランジ部５３が補給口３１を通過して、尿素水タンク３に入ると、突起５３ａが自由状態になり、元の状態に拡開して、ホース５を尿素水タンク３の外方に引出すと、突起５３ａが尿素水タンク３内の補給口３１に係合して、ホース５の抜け出し防止となる。
従って、既存の尿素水タンク３のキャップに対して、キャップ８と、該キャップ８に係脱するホース５を交換するだけで、既存の尿素水タンクに尿素水の補給が容易にでき、コスト上昇の抑制効果が期待できる。
【００２６】
（第２実施形態）
また、第２フランジ部の第２実施形態として、図３に基づいて説明する。
尚第１実施形態と同じものは同一符号を付して説明は省略する。
ホース６は弾性変形可能な素材で形成されており、第１フランジ部５２と、尿素水タンク３内に係合して、ホース６が尿素水タンク３の外方へ抜け出さないように、尿素水タンク３の補給口３１に係合する第２フランジ部６２と、第１フランジ部５２と第２フランジ部６２とを両端に有する蛇腹状の本体部６１とで構成されている。
第２フランジ部６２と、該第２フランジ部６２に続く本体部６１にはホース６の軸線ＣＬに沿って幅Ｗで長さＮ１の切込み６３が形成されている。
切込み６３の底部６４は半円形状に形成されている。
また、幅Ｗについては、第２フランジ部６２の径Ｄ６が大きい場合には、大きくして弾性変形し易くするとよい。
第２フランジ部６２の剛性等を考慮して逐次決定すればよい。
【００２７】
第２フランジ部６２は切込み６３の端縁６５を周方向に重合させて、ホース６の径を縮径させることにより、補給口３１の外側から挿入する。
第２フランジ部６２が補給口３１を通過して、尿素水タンク３に入ると、第２フランジ部６２が自由状態になり、元の状態に拡開して、ホース６を尿素水タンク３の外方に引出すと、第２フランジ部６２が尿素水タンク３内の補給口３１に係合して、ホース６の抜け出しを阻止する。
【００２８】
切込み６３の底部６４を半円形状に形成してあるので、端縁６５の重合代を大きくして縮径しても底部の変形による発生応力を軽減できる。
尚、本実施形態では、切込み６３の底部６４は半円形状に形成したが、切込みの幅Ｗをなくし線状にしただけでもよい。
第２フランジ部６２の縮径は尿素水タンク３内へのホース６の挿入後は、一般的に実施されないので、当該部に高い応力が発生しても容認できるものである。
更に、第２フランジ部６２の切込み６３の周方向１８０°回転した位置に第２切込み６６（フランジ部厚さｔのみ）を追加すると、第２フランジ部６２の縮径は容易になる。
【００２９】
（第３実施形態）
また、第２フランジ部の第３実施形態として、図４に基づいて説明する。
尚第１実施形態と同じものは同一符号を付して説明は省略する。
ホース７は弾性変形可能な素材で形成されており、第１フランジ部５２と、
尿素水タンク３内に挿入され、ホース７の外方へ突出した第２フランジ部７２と、第１フランジ部５２と第２フランジ部７２とを両端に有する蛇腹状の本体部７１と、該本体部７１の外周に遊嵌し、尿素水タンク３内にて第２フランジ部７２と補給口３１間に挟持されて、第２フランジ部７２が補給口３１通り抜けないようにする係止片７６ｂを有したストッパ部財であるスリーブ７６と、第２フランジ部７２と該第２フランジ部７２に続く本体部７１に、ホース６の軸線ＣＬに沿って幅Ｗで長さＮ２に形成された切込み７３とで構成されている。
切込み６３の底部６４は半円形状に形成されている。
【００３０】
そして、管状のストッパ部材であるスリーブ７６が本体部７１に対しホース７の軸線ＣＬ方向に摺動可能に遊嵌している。
スリーブ７６の管状本体７６ａの外周部には、第２フランジ７２側から軸線ＣＬに沿って側面視が三角形状に形成された係止片７６ｂが管状本体７６ａの長さ方向全体に亘って設けられている。
係止片７６ｂは管状本体７６ａの外周面の周方向に等間隔で複数設けられている。係止片７６ｂの先端７６ｄ側は管状本体７６ａの外周面と同じ高さ（高さ＝０ｍｍ）に成っており、第１フランジ側の後端縁７６ｃの外径は補給口３１の内径Ｄ４より大きく形成されている。
従って、係止片７６の第１フランジ側端縁７６ｃが補給口３１の尿素水タンク内側面３１ｂに係合して、ホース７の尿素タンク３外への抜け防止になる。
【００３１】
スリーブ７６の管状本体７６ａの長さＮ４は、ホース７を尿素水タンク３の外方へ引抜き許容量全量引いたときに、切込み７３の底部７４が補給口３１の先端３１ａから露出しないような長さにする必要がある。
即ち、管状本体７６ａの長さＮ４は、補給口３１の先端３１と補給口３１の内側面３１ｂの長さＮ３、第２フランジ７２の厚さｔとして、次のような関係にする必要がある。
Ｎ４＞Ｎ２−（Ｎ３＋ｔ）
ｔ；第２フランジ７２の厚さ
Ｎ２；切込み長さ
Ｎ３；補給口３１の先端３１と補給口３１の内側面３１ｂの長さ
【００３２】
このような構造にして、組立順序を説明する。
第２フランジ部７２を縮径して、スリーブ７６をホース７に外嵌させる。外嵌されたスリーブ７６は第１フランジ部５２側にスライドさせる。次に、再度、第２フランジ部７２を縮径して、補給口３１に挿入し、ホース７の軸線方向ＣＬ中間部まで挿入する。次にスリーブ７６の係止片７６ｃを弾性変形させながら押込む。スリーブ７６は尿素水タンク３内でスリーブ７６の先端側７６ｄが第２フランジ７２に当接して係止される。
さらに、補給口３１の長さＮ３が短いか、又は切込み長さが長くて、ホース７を尿素水タンク３の外方へ引抜き許容量全量引いたときに、切込み７３の底部７４が補給口３１の先端３１ａから露出しないようにすることで、尿素水補給時に斬り込み７３から尿素水が外部に洩れないようにすることができる。
【００３３】
（第４実施形態）
図５に示した本発明が実施されたキャップの実施形態詳細図に基づいて説明する。
尚、第１実施形態と同じものは同一符号を付して説明は省略する。
８は尿素水タンク３の補給口を閉塞するキャップを示し、キャップ８は、キャップ本体８ａと、ホース５の第１フランジ部５２を補給口３１の端縁３１ａとで強圧して補給口３１の密閉を維持する押圧部８ｂと、キャップ８を補給口３１の外周部に形成されたネジ部３１ｂに螺合させて補給口３１の密閉を維持するネジ部８ｃと、第１フランジ部５２をキャップ８に保持する係脱装置８１とで構成されている。
【００３４】
係脱装置８１は、操作部でありキャップ８のラジアル方向に摺動する操作ボタン８２と、操作ボタン８２の操作に係動して、第１フランジ部５２を押圧部８ｂ側に付勢する係合片８３と、係合片８３を付勢するコイル状の捩りバネ８４とで構成されている。
係合片８３はキャップ本体８ａに一体的に立設された軸ピン８５に、該軸ピン８５の軸線（図示省略）を中心に回動自在に軸着され、捩りバネ８５によって第１フランジ部５２の外周縁部５２ａを押圧部８ｂ側に付勢する第１レバー８３ａと、操作部である操作ボタン８２の操作によって第１レバー８３ａと外周縁部５２ａとの係脱を行う第２レバー８３ｂとを有している。
係脱装置８１はキャップ本体８ａの外周部に少なくとも２個が周方向へ等間隔に配設されている。
【００３５】
このような構造にすることにより、キャップ８はネジ部ネジ部３１ｂに沿って回動（操作ボタン８２は操作しない）させて、補給口３１からキャップ８を外す。
この時、第１レバー８３ａの先端は第１フランジ部５２の外周縁下側Ｐ点を
周方向に摺動している。
キャップ８を補給口３１から外すと、ホース５はキャップ８に係合された状態で補給口３１から抜け出てくる。その状態で、ホース５を架装装置２のコーナ部Ｚに設けたホース保持具２３に第１フランジ５２側を保持（係合）させる。
その後、キャップ８の操作ボタン８２を操作して、第１レバー８３ａを係合位置から解除位置に移動させると、キャップ８は第１フランジ５２から離脱することができる。
【００３６】
その状態で、尿素水の補給ができ、尿素水で濡れているホース５に直接触れずに補給でき、第１フランジ部５２はホース保持具２３に保持されているので、補給ノズル３２を安定した状態でホース５に挿入できる。
補給が終了したら、キャップ８の操作ボタンを操作（押込む）しながら第１フランジ５２に係合して、ホース５をホース保持具２３から外し、補給口３１のネジ部３１ｂに締結して終了する。
【００３７】
（第５実施形態）
図６に示した本発明が実施されたキャップの実施形態詳細図及び、図７（Ａ）のキャップと第１フランジとの係合状態説明図、（Ｂ）のキャップと第１フランジとの係合が解除された状態説明図、（Ｃ）の係合片が第１フランジ部を通過する状態図に基づいて説明する。
尚、第１実施形態と同じものは同一符号を付して説明は省略する。
また、本実施形態は係脱装置９１の構造がことなる発明なので、尿素水を尿素水タンク３に補給する要領については第４実施形態で記述したので省略する。
【００３８】
９は尿素水タンク３の補給口を閉塞するキャップを示し、キャップ９は、キャップ本体９ａと、ホース５の第１フランジ部を補給口３１の端縁３１ａとで強圧して補給口３１の密閉を維持する押圧部９ｂと、キャップ９を補給口３１の外周部に形成されたネジ部３１ｂに螺合させて補給口３１の密閉を維持するネジ部９ｃと、第１フランジ部５２を保持する係脱装置９１とで構成されている。
【００３９】
係脱装置９１は、操作部でありキャップ９のラジアル方向に摺動する操作部である操作ボタン９２と、操作ボタン９２の操作に係動して、第１フランジ部５２を押圧部９ｂ側に付勢する係合片９３と、係合片９３を付勢するコイル状の捩りバネ９４とで構成されている。
係合片９３は外形状が略三角形状に形成され、キャップ本体９ａに一体的に立設された第１軸ピン９５に、該第１軸ピン９５の軸線（図示省略）を中心に回動自在に軸着され、捩りバネ９４によって第１フランジ部５２の外周縁部５２ａを押圧部９ｂ側に付勢する第１凸部９３ａと、係合変９３から操作ボタン９２側に延在し、操作ボタン９２の操作によって第１凸部９３ａと外周縁部５２ａとの係脱を行う受動レバー９３ｂとを有している。
【００４０】
図６（Ｂ）に示すように、係合片９３は軸ピン９５に対し、第１軸ピン９５と第１凸部９３ａの先端との長さＮ５と、その反対側の第１軸ピン９５と係合片９３の略三角形状底辺側９３ｃとの長さＮ６はＮ５＞＞Ｎ６としてあり、係合片９３は自由状態時には、第１凸部９３ａ側が図面上で下側に重力回動するように形成されている。
【００４１】
操作部である操作ボタン９２は、ボタン本体９２ａがキャップ９のラジアル方向に摺動すると共に、ボタン本体９２ａに後述する捩りバネ９４の第１端部９４ａが当接する第１操作片９２ｂと、第１軸ピン９５を中心にして係合片９３の受動レバー９３ｂを回動させる第２操作片９２ｃとが一体に形成されている。
そして、捩りバネ９４はキャップ本体９ａに一体的に立設された第２軸ピン９６に、該第２軸ピン９６の軸線（図示省略）を中心に回動自在にコイル部が軸着されて、既述の通り第１端部９４ａが第１操作片９２ｂを、第２端部９４ｂが受動レバー９３ｂを夫々押圧している。
また、係脱装置９１はキャップ本体９ａの外周部に２個が周方向へ等間隔に配設されている。
【００４２】
図７（Ａ）はキャップ９を補給口３１から外した状態である。即ち、係合片９３の第１凸部９３ａがホース５の第１フランジ部５２をキャップ９の押圧部９ｂ側に押圧した状態で、キャップ９とホース５の第１フランジ部５２が捩りスプリング９４の付勢力によって係合している状態を示している。
即ち、第１フランジ部５２が押圧部９４ａから離れように作用すると、捩りスプリング９４の第１端部９４ａ及び、第２端部９４ｂが夫々第１操作片９２ｂ及び、第２操作片９２ｃに当接して、捩りスプリング９４を開く（第１端部９４ａと第２端部９４ｂとが成す角度θを大きくする）方向に作用するため、捩りスプリング９４の付勢力により、第１フランジ部５２と係合片９３との係合は維持される。
【００４３】
図７（Ｂ）はホース保持具２３にホース５の第１フランジ部５２を保持させた状態時、係合片３がホース５の第１フランジ部５２の係合を解除した状態を示している。
即ち、操作部である操作ボタン９２をキャップ９のラジアル方向に押圧すると、捩りバネ９４の第１端部９４ａ及び、第２端部９４ｂを第１操作片９２ａ及び、第２操作片９２ｂが夫々バネの付勢力に抗してキャップ９のラジアル方向に摺動する。第２操作片９２ｃが受動レバー９３ｂを第１軸ピン９５を中心にして、図面上で下側に回動するので、キャップ９と第１フランジ部５２の係合は解除される。
【００４４】
図７（Ｃ）は尿素水の補給が終了して、第１フランジ部５２にキャップ９を装着する状態を示したものである。
即ち、キャップ９を上方から（Ｘ矢印方向）第１フランジ部５２側に押付ける（操作ボタン９２は操作しない）と、係合片９３の第１凸部９３ａの先端部が第１フランジ部５２の外周部に当接し、係合片９３は第１軸ピン９５を中心にしてＹ矢印方向に回動する。該係合片９３のＹ矢印方向の回動に伴い、受動レバー９３ｂもＹ矢印方向に回動するが、図７（Ａ）のＬ寸法分だけ操作ボタン９２がキャップ９の外方へ逃げる。
【００４５】
従って、係合片９３の第１凸部９３ａの先端部は第１フランジ部５２の外周部の下側（第１フランジ５２の裏側）に移動し、係合片９３は第１軸ピン９５を中心にして、係合片９３の自重によってＹ矢印と逆方向に回動する。
ところが、第１凸部９３ａの先端部が第１フランジ部５２の外周部の下側位置までに移動すると、受動レバー９３ｂに捩りスプリング９４の第２端部９４ｂが当接し、第１操作片９２ｂに捩りスプリング９４の第１端部９４ａが当接して、係合片９３の回動は停止する。
この状態で、係脱装置９１は第１フランジ部５２を係合した状態〔図９（Ａ）の状態〕になる。
【００４６】
このような構造にすることにより、第１フランジ部５２にキャップ９をホース５の軸線方向に押圧するだけで、係合片９３が第１フランジ部５２の径方向に拡開するので、補給作業の終了後、キャップを第１フランジ部に押圧するだけで、ホース５とキャップ９との結合ができ、補給作業が容易であると共に、誤操作が生じ難い。
【００４７】
本発明において、ホースの第１フランジ部とキャップとの係脱構造と、第２フランジ部の補給口からの抜け出し防止構造は夫々適宜組合せて利用することができ、同様の効果を得ることができる。
【産業上の利用可能性】
【００４８】
自動車等から排出される排ガスを浄化する浄化装置の還元剤として用いられる尿素水を貯溜するタンクの補給口のキャップ構造に適用できる。
【符号の説明】
【００４９】
１            トラック
２            架装装置
３            尿素水タンク
５，６，７    ホース
８，９        キャップ
２３          ホース保持具
３１          補給口
５１、６１，７１    ホース本体
５２          第１フランジ
５３，６３，７３    第２フランジ
６３、７３    切込み
７６          スリーブ（ストッパ部材）
８１、９１    係脱装置
８２，９２    操作ボタン（操作部）
８３，９３    係合片
８４，９４    捩りバネ（弾性部材）
【図１】
2013233981.tif 000003
【図２】
2013233981.tif 000004
【図３】
2013233981.tif 000005
【図４】
2013233981.tif 000006
【図５】
2013233981.tif 000007
【図６】
2013233981.tif 000008
【図７】
2013233981.tif 000009
【図８】
2013233981.tif 000010